(57)【要約】【課題】料金表画像に示される料金表と管理サーバへ登録される料金表の同期を実現する。【解決手段】管理端末１００は、管理対象となる画像出力装置２００と課金装置３００で利用される料金表を個別的に管理する。管理端末１００の料金表取得部は、料金表画像に示される料金表に対応した料金表データを取得する。管理端末１００の料金表登録処理部は、料金表の登録を許可する条件が満たされる場合に、料金表データに対応した料金表を管理サーバ４００へ登録する。【選択図】図１
2020009210.tif 000002
【特許請求の範囲】
【請求項１】
料金表画像に示される料金表に対応した料金表データを取得する取得手段と、
前記料金表の登録を許可する条件が満たされる場合に、前記料金表データに対応した料金表を管理サーバへ登録する登録手段と、
を有する管理システム。
【請求項２】
請求項１に記載の管理システムにおいて、
前記取得手段は、前記料金表画像に対する画像解析処理により当該料金表画像から前記料金表データを取得する、
ことを特徴とする管理システム。
【請求項３】
請求項１または２に記載の管理システムにおいて、
前記取得手段は、前記料金表画像に示される料金表を利用する個別装置の管理者による入力操作によって入力される前記料金表データを取得する、
ことを特徴とする管理システム。
【請求項４】
請求項１から３のいずれか１項に記載の管理システムにおいて、
前記登録手段は、管理サーバで管理される料金表設定が上書き可能でなければ、前記料金表データに対応した料金表を管理サーバへ登録しない、
ことを特徴とする管理システム。
【請求項５】
請求項１から４のいずれか１項に記載の管理システムにおいて、
前記登録手段は、管理サーバで管理される料金表設定が上書き可能であっても料金表設定が管理サーバ優先である場合に、前記料金表データに対応した料金表を管理サーバへ登録しない、
ことを特徴とする管理システム。
【請求項６】
請求項１から５のいずれか１項に記載の管理システムにおいて、
前記登録手段は、管理サーバで管理される料金表設定が上書き可能であり且つ料金表設定が個別装置優先である場合に、前記料金表データに対応した個別装置の料金表を管理サーバへ登録する、
ことを特徴とする管理システム。
【請求項７】
料金表画像に示される料金表に対応した料金表データを取得する手段と、
前記料金表の登録を許可する条件が満たされる場合に、前記料金表データに対応した料金表を管理サーバへ登録する手段と、
を有する管理端末装置。
【請求項８】
コンピュータに、
料金表画像に示される料金表に対応した料金表データを取得する機能と、
前記料金表の登録を許可する条件が満たされる場合に、前記料金表データに対応した料金表を管理サーバへ登録する機能と、
を実現させるプログラム。
【発明の詳細な説明】
【技術分野】
【０００１】
本発明は、管理システム、管理端末装置およびプログラムに関する。
【背景技術】
【０００２】
特許文献１には、自装置の記憶手段に記憶される単価テーブルと課金装置の記憶手段に記憶される単価テーブルとが一致しない場合に、それら２つの単価テーブルのうちのいずれか一方の選択を受け付け、受け付けた一方の単価テーブルと同一の単価テーブルとなるように他方の単価テーブルを変更する画像形成装置が記載されている。
【先行技術文献】
【特許文献】
【０００３】
【特許文献１】特開２００９−２３３９４０号公報
【発明の概要】
【発明が解決しようとする課題】
【０００４】
例えば特許文献１に記載されるように、２つの料金表（特許文献１では単価テーブル）がメモリなどの記憶手段にデータとして記憶されていれば、２つの料金表のデータを対象としたデータ処理により、それら２つの料金表の同期を実現できる。しかし、料金表が常にデータ化されていてデータとして利用できる状況にあるとは限らない。
【０００５】
本発明の目的は、料金表画像に示される料金表と管理サーバへ登録される料金表の同期を実現することにある。
【課題を解決するための手段】
【０００６】
請求項１に係る発明は、料金表画像に示される料金表に対応した料金表データを取得する取得手段と、前記料金表の登録を許可する条件が満たされる場合に、前記料金表データに対応した料金表を管理サーバへ登録する登録手段と、を有する管理システムである。
【０００７】
請求項２に係る発明は、請求項１に記載の管理システムにおいて、前記取得手段は、前記料金表画像に対する画像解析処理により当該料金表画像から前記料金表データを取得することを特徴とする管理システムである。
【０００８】
請求項３に係る発明は、請求項１または２に記載の管理システムにおいて、前記取得手段は、前記料金表画像に示される料金表を利用する個別装置の管理者による入力操作によって入力される前記料金表データを取得することを特徴とする管理システムである。
【０００９】
請求項４に係る発明は、請求項１から３のいずれか１項に記載の管理システムにおいて、前記登録手段は、管理サーバで管理される料金表設定が上書き可能でなければ、前記料金表データに対応した料金表を管理サーバへ登録しないことを特徴とする管理システムである。
【００１０】
請求項５に係る発明は、請求項１から４のいずれか１項に記載の管理システムにおいて、前記登録手段は、管理サーバで管理される料金表設定が上書き可能であっても料金表設定が管理サーバ優先である場合に、前記料金表データに対応した料金表を管理サーバへ登録しないことを特徴とする管理システムである。
【００１１】
請求項６に係る発明は、請求項１から５のいずれか１項に記載の管理システムにおいて、前記登録手段は、管理サーバで管理される料金表設定が上書き可能であり且つ料金表設定が個別装置優先である場合に、前記料金表データに対応した個別装置の料金表を管理サーバへ登録することを特徴とする管理システムである。
【００１２】
請求項７に係る発明は、料金表画像に示される料金表に対応した料金表データを取得する手段と、前記料金表の登録を許可する条件が満たされる場合に、前記料金表データに対応した料金表を管理サーバへ登録する手段と、を有する管理端末装置である。
【００１３】
請求項８に係る発明は、コンピュータに、料金表画像に示される料金表に対応した料金表データを取得する機能と、前記料金表の登録を許可する条件が満たされる場合に、前記料金表データに対応した料金表を管理サーバへ登録する機能と、を実現させるプログラムである。
【発明の効果】
【００１４】
請求項１に係る発明により、料金表画像に示される料金表と管理サーバへ登録される料金表の同期が実現される。
【００１５】
請求項２に係る発明により、料金表データの入力操作が不要になる。
【００１６】
請求項３に係る発明により、個別装置の管理者が入力する料金表データに基づく同期が実現される。
【００１７】
請求項４に係る発明により、上書き可能か否かの料金表設定により、料金表の登録を許可する条件が変更される。
【００１８】
請求項５に係る発明により、管理サーバ優先か否かの料金表設定により、料金表の登録を許可する条件が変更される。
【００１９】
請求項６に係る発明により、個別装置の料金表の管理サーバへの登録を許可する条件が管理サーバで管理される料金表設定で決定される。
【００２０】
請求項７に係る発明により、料金表画像に示される料金表と管理サーバへ登録される料金表の同期が実現される。
【００２１】
請求項８に係る発明により、料金表画像に示される料金表と管理サーバへ登録される料金表の同期を実現するプログラムが提供される。
【図面の簡単な説明】
【００２２】
【図１】管理システムの具体例を示す図である。
【図２】管理端末の具体例を示す図である。
【図３】管理サーバの具体例を示す図である。
【図４】料金表の具体例を示す図である。
【図５】管理端末の起動処理の具体例を示す図である。
【図６】管理サーバへの料金表の登録処理の具体例１を示す図である。
【図７】管理サーバへの料金表の登録処理の具体例２を示す図である。
【図８】図１の管理システムにおける画像出力の具体例を示す図である。
【発明を実施するための形態】
【００２３】
図１は、本発明の具体的な実施態様の一例を示す図であり、図１には、管理システムの具体例が図示されている。図１に示す具体例において、管理システムは、管理端末１００と画像出力装置２００と課金装置３００と管理サーバ４００を備えている。管理端末１００と画像出力装置２００と課金装置３００と管理サーバ４００は、例えば通信回線（通信ネットワーク）を介して互いに接続されてデータ（情報）を遣り取りする。
【００２４】
管理端末１００と画像出力装置２００と課金装置３００は、個別装置の具体例となる機器であり、これら３つの機器の組み合わせにより個別装置セットを構成する。図１には、個別装置セットの具体例として、管理端末（Ａ）と画像出力装置（Ａ）と課金装置（Ａ）の組み合わせによる個別装置セットＡと、管理端末（Ｂ）と画像出力装置（Ｂ）と課金装置（Ｂ）の組み合わせによる個別装置セットＢが例示されている。なお、個別装置セットは、１セットのみでもよいし３セット以上でもよい。
【００２５】
管理端末１００は、管理サーバ４００とデータ（情報）を遣り取りして、管理対象となる画像出力装置２００と課金装置３００を個別的に管理する。管理端末１００は、例えば管理サーバ４００から画像出力要求の要求データを取得し、その要求データを管理対象の画像出力装置２００へ送信する。これにより、画像出力装置２００による画像出力が実現される。また、管理端末１００は、管理対象となる画像出力装置２００と課金装置３００で利用される料金表を個別的に管理する。
【００２６】
画像出力装置２００は、ユーザからの画像出力要求に応じた画像を出力する。画像出力装置２００の具体例の一つが、複数の画像出力機能（印刷機能とスキャナ機能とコピー機能とファクシミリ（ＦＡＸ）機能などのうちの少なくともいくつかの機能）を備えた複合型の装置である。なお、画像出力装置２００は、複数の画像出力機能のうちの１つの機能のみを備えた装置であってもよい。
【００２７】
課金装置３００は、接続された画像出力装置２００による画像出力の料金を徴収する。課金装置３００の具体例には、コインキットやＩＣカード端末装置などが含まれる。課金装置３００は、当該課金装置３００に対応した料金表に基づく料金を徴収する。
【００２８】
管理サーバ４００は、１つ以上の個別装置セットを構成する管理端末１００と画像出力装置２００と課金装置３００の機器管理を行う。管理サーバ４００は、例えば、ユーザからユーザ装置５００を介して得られる画像出力要求に応じて、１つ以上の個別装置セットに対して画像の出力を指示する。また、管理サーバ４００は、１つ以上の個別装置セットで利用される料金表を管理する。
【００２９】
図２は、管理端末１００（図１）の具体例を示す図である。図２に示す具体例の管理端末装置１００は、料金表取得部１１０と料金表登録処理部１２０と自動更新管理部１３０と要求データ処理部１４０と料金算出部１５０を備えている。
【００３０】
料金表取得部１１０は、料金表画像に示される料金表に対応した料金表データを取得する。料金表取得部１１０は、例えば、料金表画像に対する画像解析処理により、その料金表画像から料金表データを取得する。料金表画像に対する画像解析処理には、例えば光学文字認識などの公知の解析処理が利用されてもよい。
【００３１】
また、料金表取得部１１０は、料金表画像に示される料金表を利用する個別装置の管理者による入力操作によって入力される料金表データを取得してもよい。例えば、個別装置セットの管理者の入力操作により、料金表画像に示される料金表に対応した料金表データが入力され、その入力された料金表データを料金表取得部１１０が取得してもよい。
【００３２】
料金表登録処理部１２０は、料金表の登録を許可する条件が満たされる場合に、料金表データに対応した料金表を管理サーバ４００へ登録する。料金表登録処理部１２０は、例えば、管理サーバ４００で管理される料金表設定に従った登録処理を実行する。
【００３３】
自動更新管理部１３０は、料金表に関する自動更新可能属性を管理する。自動更新可能属性は、例えば、管理端末１００が管理対象となる画像出力装置２００と課金装置３００で利用される料金表を更新することができるかどうかを示す属性である。例えば、管理端末１００の管理者または管理サーバ４００の管理者により、その管理端末１００の自動更新可能属性が自動更新可能または自動更新不可に設定される。
【００３４】
要求データ処理部１４０は、例えば、管理サーバ４００から画像出力要求の要求データを取得して、その要求データを管理対象の画像出力装置２００へ送信する等の要求データ処理を実行する。また、料金算出部１５０は、料金表に基づいて画像出力の料金を算出する。
【００３５】
図２に示す具体例の管理端末１００は、例えば１台以上のコンピュータを利用して実現することができる。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００３６】
そして、例えば、図２に例示する管理端末１００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、管理端末１００の少なくとも一部の機能がコンピュータにより実現される。そのプログラムは、例えば、インターネット等の通信回線を介してコンピュータ（管理端末１００）に提供されてもよいし、光ディスクや半導体メモリやカードメモリ等の記憶媒体に記憶されてコンピュータ（管理端末１００）に提供されてもよい。
【００３７】
図３は、管理サーバ４００（図１）の具体例を示す図である。図３に示す具体例の管理サーバ４００は、料金表管理部４１０とデータ記憶部４２０と要求データ管理部４３０を備えている。
【００３８】
料金表管理部４１０は、１つ以上の個別装置セットで利用される料金表を管理する。また、料金表管理部４１０は、料金表登録処理部１２０（図２）が実行する登録処理に係る機能のうちの少なくとも一部を備えていてもよい。例えば、料金表管理部４１０は、料金表の登録を許可する条件が満たされる場合に、管理端末１００から得られる料金表データに対応した料金表を管理サーバ４００へ登録する登録手段として機能してもよい。
【００３９】
データ記憶部４２０には、管理サーバ４００によって利用される様々なデータが記憶される。例えば、管理サーバ４００が管理する１つ以上の個別装置セットで利用される料金表データなどがデータ記憶部４２０に記憶される。なお、データ記憶部４２０は、例えばハードディスクドライブや半導体メモリ等の記憶デバイスを利用して実現されてもよい。
【００４０】
要求データ管理部４３０は、例えば、ユーザからユーザ装置５００を介して得られる画像出力要求の要求データを管理する。要求データ管理部４３０によって管理される要求データの具体例には印刷の要求データなどが含まれる。
【００４１】
図３に示す具体例の管理サーバ４００は、例えば１台以上のコンピュータを利用して実現することができる。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００４２】
そして、例えば、図３に例示する管理サーバ４００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、管理サーバ４００の少なくとも一部の機能がコンピュータにより実現される。そのプログラムは、例えば、インターネット等の通信回線を介してコンピュータ（管理サーバ４００）に提供されてもよいし、光ディスクや半導体メモリやカードメモリ等の記憶媒体に記憶されてコンピュータ（管理サーバ４００）に提供されてもよい。
【００４３】
図１に例示する管理システムと図２に例示する管理端末１００と図３に例示する管理サーバ４００の全体構成は以上のとおりである。次に、図１から図３に例示する具体例の管理システムと管理端末１００と管理サーバ４００により実現される処理等について詳述する。なお、図１から図３に示した構成（部分）については、以下の説明において図１から図３の符号を利用する。
【００４４】
図４は、料金表の具体例を示す図である。図４には、管理サーバ４００のデータ記憶部４２０に記憶されて料金表管理部４１０によって管理される料金表の具体例が図示されている。図４には、個別装置セットＡに対応した料金表Ａと、個別装置セットＢに対応した料金表Ｂが例示されている。
【００４５】
図４に例示する料金表には、画像出力装置２００による画像出力の料金を示す「料金単価」が規定されている。例えば、料金表Ａでは、用紙サイズＡ４のカラーによる印刷の場合における単価が２０に設定されており、用紙サイズＡ４の白黒によるファクシミリ（ＦＡＸ）の場合における単価が１０に設定されている。また、例えば、料金表Ｂでは、用紙サイズＡ４の白黒による印刷の場合における単価が１０に設定されており、用紙サイズＡ３のカラーによるコピーの場合における単価が２０に設定されている。なお、単価は、例えば通貨単位（円やドルなど）で規定されてもよいし、予め定められたポイントなどで規定されてもよい。
【００４６】
また、図４に例示する料金表には、料金表に関する属性情報（料金表設定）が含まれている。図４に例示する具体例では、料金表の属性情報として、「対象装置」と「オーバーライド（上書き）」と「優先選択（管理サーバ／個別装置）」が設定されている。
【００４７】
「対象装置」は、料金表の対象となる個別装置を示す属性情報である。図４に例示する具体例において、料金表Ａの対象装置は画像出力装置（Ａ）であり、料金表Ｂの対象装置は画像出力装置（Ｂ）である。
【００４８】
「オーバーライド（上書き）」は、料金表を上書き（更新）できるかどうかを示す属性情報である。図４に例示する具体例では、料金表Ａと料金表Ｂが両方ともにオーバーライド（上書き）可能に設定されている。
【００４９】
「優先選択（管理サーバ／個別装置）」は、管理サーバ４００に登録されている料金表と個別装置に設定されている料金表のどちらを優先するのかを示す属性情報である。図４に例示する具体例において、料金表Ａは管理サーバ優先であり料金表Ｂは個別装置優先に設定されている。
【００５０】
図５は、管理端末１００の起動処理の具体例を示す図（フローチャート）である。管理端末１００の電源が投入されると（Ｓ５０１）、管理端末１００が起動処理を開始し、料金表に関する自動更新可能属性が確認される（Ｓ５０２）。
【００５１】
自動更新可能属性は、例えば、管理端末１００が管理対象となる画像出力装置２００と課金装置３００で利用される料金表を更新することができるかどうかを示す属性であり、自動更新管理部１３０によって管理される。
【００５２】
自動更新可能属性が自動更新可能でなければ、料金表が更新されずに、図５のフローチャートが終了する。なお、自動更新可能でなければ、例えば、料金表が更新されなかったことを示すメッセージなどを管理端末１００が表示や音声などにより出力するようにしてもよい。
【００５３】
自動更新可能属性が自動更新可能であれば、管理端末１００は、管理対象となる画像出力装置２００と課金装置３００で利用される料金表を管理サーバ４００から取得する（Ｓ５０３）。例えば、個別装置セットＡ（図１）の管理端末（Ａ）であれば、管理サーバ４００によって管理される料金表Ａ（図４）が取得され、個別装置セットＢ（図１）の管理端末（Ｂ）であれば、管理サーバ４００によって管理される料金表Ｂ（図４）が取得される。
【００５４】
そして、管理端末１００は、管理サーバ４００から取得した料金表の属性情報（料金表設定）に含まれる優先選択（管理サーバ／個別装置）を確認する（Ｓ５０４）。優先選択（管理サーバ／個別装置）は、管理サーバ４００に登録されている料金表と個別装置に設定されている料金表のどちらを優先するのかを示す属性情報である。
【００５５】
優先選択が管理サーバ優先でなければ、料金表が更新されずに、図５のフローチャートが終了する。例えば、個別装置セットＢ（図１）の管理端末（Ｂ）であれば、料金表Ｂ（図４）の優先選択が個別装置優先であるため料金表が更新されない。なお、例えば、管理端末（Ｂ）の管理対象となる課金装置（Ｂ）に既に料金表が設定されていれば、既に設定されている料金表が画像出力時に利用されてもよい。
【００５６】
優先選択が管理サーバ優先であれば、管理端末１００は、管理サーバ４００から取得した料金表を管理対象となる課金装置３００へ設定する（Ｓ５０５）。例えば、個別装置セットＡ（図１）の管理端末（Ａ）であれば、料金表Ａ（図４）の優先選択が管理サーバ優先であるため、管理サーバ４００から取得した料金表Ａが管理対象となる課金装置（Ａ）に設定される。
【００５７】
図６は、管理サーバ４００への料金表の登録処理の具体例１を示す図（フローチャート）である。図６に例示する具体例１は、自動更新可能属性が自動更新可能であり、管理端末１００が課金装置３００から料金表データを取得できる場合の登録処理である。
【００５８】
まず、管理端末１００の料金表取得部１１０が管理対象となる課金装置３００から料金表データを取得する（Ｓ６０１）。また、管理端末１００は、管理サーバ４００が管理する料金表設定を確認する（Ｓ６０２）。管理端末１００は、管理対象となる画像出力装置２００と課金装置３００で利用される料金表の属性情報が、オーバーライド可能且つ個別装置優先か否かを確認する（Ｓ６０３）。
【００５９】
そして、料金表の属性情報がオーバーライド可能であり且つ個別装置優先であれば、管理端末１００の料金表登録処理部１２０は、課金装置３００から取得した料金表データを管理サーバ４００へ登録する（Ｓ６０４）。これに対し、料金表の属性情報がオーバーライド可能且つ個別装置優先でなければ、料金表データの管理サーバ４００への登録は実行されずに図６のフローチャートが終了する。
【００６０】
図７は、管理サーバ４００への料金表の登録処理の具体例２を示す図（フローチャート）である。図７に例示する具体例２は、自動更新可能属性が自動更新不可であり、管理端末１００が課金装置３００から料金表データを取得できない場合の登録処理である。
【００６１】
図７に例示する具体例２では、まず、課金装置３００で利用される料金表を示した料金表画像が出力される（Ｓ７０１）。例えば、課金装置３００に接続された画像出力装置２００から料金表画像が用紙などの媒体に印刷されて出力される。
【００６２】
そして、管理端末１００の料金表取得部１１０が、料金表画像に示される料金表に対応した料金表データを取得する（Ｓ７０２）。料金表取得部１１０は、例えば、料金表画像に対する画像解析処理により、その料金表画像から料金表データを取得する。
【００６３】
例えば、料金表画像が用紙などの媒体に印刷されていれば、印刷された媒体からスキャナなどにより料金表画像の画像データが取得され、その画像データに対する画像解析処理により料金表データが取得される。なお、例えばスキャナなどによる画像読み取り処理を介さずに、管理端末１００が画像出力装置２００から料金表画像の画像データを直接的に得るようにしてもよい。
【００６４】
また、料金表取得部１１０は、例えば、料金表画像に示される料金表を利用する個別装置セットの管理者による入力操作によって入力される料金表データを取得してもよい。例えば、用紙などの媒体に印刷された料金表画像を見た管理者が、料金表画像に示される料金単価（図４参照）などのデータを操作デバイスを利用して管理端末１００に入力し、入力されたデータを料金表取得部１１０が取得してもよい。
【００６５】
料金表データが取得されると、管理端末１００は、管理サーバ４００が管理する料金表設定を確認する（Ｓ７０３）。管理端末１００は、管理対象となる画像出力装置２００と課金装置３００で利用される料金表の属性情報が、オーバーライド可能且つ個別装置優先か否かを確認する（Ｓ７０４）。
【００６６】
そして、料金表の属性情報がオーバーライド可能であり且つ個別装置優先であれば、管理端末１００の料金表登録処理部１２０は、料金表取得部１１０が取得した料金表データを管理サーバ４００へ登録する（Ｓ７０５）。これにより、例えば管理端末１００が課金装置３００から料金表データを取得できない場合でも、料金表画像に示される料金表と管理サーバ４００へ登録される料金表の同期が実現される。
【００６７】
なお、料金表の属性情報がオーバーライド可能且つ個別装置優先でなければ、料金表データの管理サーバ４００への登録は実行されずに図７のフローチャートが終了する。
【００６８】
図８は、図１の管理システムにおける画像出力の具体例を示す図（フローチャート）である。まず、ユーザ（印刷要求者）が例えばユーザ装置５００から画像出力要求の要求データを管理サーバ４００へ送信する（Ｓ８０１）。ユーザから得られた画像出力要求の要求データは、例えば管理サーバ４００の要求データ管理部４３０によって管理される。
【００６９】
その後、ユーザは、個別装置セットの設置場所に移動し、画像出力要求の要求データを選択して画像出力を指示する（Ｓ８０２）。例えば、ユーザ（印刷要求者）が利用する管理端末１００または画像出力装置２００の表示デバイスに、そのユーザに対応した画像出力要求の要求データ（管理サーバ４００が管理している１以上の要求データ）が表示され、表示される要求データの中からユーザが所望の要求データを選択して画像出力を指示する。
【００７０】
画像出力の指示が成されると、管理端末１００は、画像出力の指示に対応した要求データを管理サーバ４００から取得し（Ｓ８０３）、取得した要求データを画像出力装置２００へ送信する（Ｓ８０４）。例えば、管理端末１００の要求データ処理部１４０が、管理サーバ４００から画像出力要求の要求データを取得して、その要求データを管理対象の画像出力装置２００へ送信する。
【００７１】
また、管理端末１００は、料金表に基づいて画像出力の料金を算出する（Ｓ８０５）。例えば、管理端末１００の料金算出部１５０が、管理対象となる画像出力装置２００と課金装置３００に対応した料金表に基づいて、Ｓ８０３で取得した要求データによる画像出力の料金を算出する。
【００７２】
例えば、管理サーバ４００で管理される料金表が課金装置３００に設定されていれば（図５のＳ５０５参照）、その料金表に基づいて画像出力の料金が算出される。なお、管理サーバ４００で管理される料金表が課金装置３００に設定されていない場合には、例えば課金装置３００に予め設定されている料金表に基づいて画像出力の料金が算出されてもよい。
【００７３】
そして、Ｓ８０５で算出された料金を課金装置３００が徴収すると（Ｓ８０６）、画像出力装置２００は、Ｓ８０４で管理端末１００から送信された要求データに応じた画像出力を実行する（Ｓ８０７）。
【００７４】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【００７５】
１００  管理端末、１１０  料金表取得部、１２０  料金表登録処理部、１３０  自動更新管理部、１４０  要求データ処理部、１５０  料金算出部、２００  画像出力装置、３００  課金装置、４００  管理サーバ、４１０  料金表管理部、４２０  データ記憶部、４３０  要求データ管理部。
【図１】
2020009210.tif 000003
【図２】
2020009210.tif 000004
【図３】
2020009210.tif 000005
【図４】
2020009210.tif 000006
【図５】
2020009210.tif 000007
【図６】
2020009210.tif 000008
【図７】
2020009210.tif 000009
【図８】
2020009210.tif 000010